Podtech/llm-jp-corpus-v4-ja_patent huggingface dataset:
(57)【要約】      （修正有）【課題】簡潔に棚位置の変更を可能とする棚板位置簡潔変更装置を提供する。【解決手段】相対する側板１、及び１４は鍵型７が垂直長手部分で複数個繋がった溝８を前後に有し、棚板４は側板前後の連結溝８と同間隔に設けたピン５を有する形態を示した斜視図である。棚板４は棚板導入路溝６より矢印１０方向に差し込み、連結溝８を経由し、希望位置の鍵型部溝１３に入れ込み固定される。【選択図】図１
0003151428.tif 000002
【実用新案登録請求の範囲】
【請求項１】
相対する側板に（１）鍵型の垂直長手部分が複数繋がった溝、又は（２）下がりL型の垂直部分が複数繋がった溝を側板前後同高さに設け、（３）他方棚板は、側板に設けられた垂直溝と同間隔に２箇所のピンを有し、（４）棚板のピン部分を垂直溝の内部を移動させ、鍵型、或いは下がりＬ型の先端部分である棚板固定溝にはめ込むことにより棚板の位置を変更、固定をする方式を特徴とする棚板位置変更装置。
【請求項２】
相対する側板に（１）長円形溝を垂直方向に定間隔で側板前後同高さに複数個設け、（２）他方棚板は、垂直長円形溝と同間隔に２箇所のピンを有し、（３）ピン付き棚板を溝部分に斜め上方向より差し込む方式により棚板の位置変更、固定をする方式を特徴とする棚板位置変更装置。
【考案の詳細な説明】
【技術分野】
【０００１】
本考案は棚板位置変更固定装置に関するものである。
【背景技術】
【０００２】
従来の多くの棚板移動は棚受け具の位置変更による移動方式である。  
【考案の概要】
【考案が解決しようとする課題】
【０００３】
従来の棚板の移動方式は棚受け具を取り外し、移動位置に棚受け具を取り付けて、さらに、棚板を取り付ける手間のかかる方式を簡潔な移動方式とすることを解決課題とする。
【課題を解決するための手段】
【０００４】
相対する側板に（１）垂直方向に鍵型の長手垂直部分が複数繋がった溝、又は（２垂直方向に下がりL型垂直部分が複数繋がった溝を前後同位置に設け、或いは（３）垂直方向に定間隔で連続する長円形溝を前後同位置に設け、他方、（４）棚板は側板の前後の溝と同寸法の位置にセットされた２箇所のピンを設け、（５）棚板のピンを鍵型、及びＬ型の場合は垂直方向に設けられた高さ変更路溝を変更位置に移動させ、鍵型、或いは下がりL型溝の奥にはめ込み固定する、又は（５）長円形溝の場合は斜め方向より長円形溝にピン付きの棚板を差し込む構造を提供することにより棚受け具を不要とし、棚板の移動を簡潔にすることにより課題を解決するものである。
【考案の効果】
【０００５】
上述のような方式により棚受け具は不要となり、棚板の移動は棚受け具を移動する必要がなく簡潔に移動が可能となる。
【図面の簡単な説明】
【０００６】
【図１】棚位置変更鍵型装置の斜視図
【図２】棚位置変更鍵型装置の断面図
【図３】棚位置変更下がりL型装置の断面図
【図４】棚板、ピン、側板の断面図
【図５】棚板位置変更長円形溝装置の斜視図
【図６】長円形溝への棚板はめ込み説明するための断面図
【考案を実施するための形態】
【０００７】
以下図１〜図６を参照して本考案を実施するための最良の形態を説明する。
【実施例】
【０００８】
図１は請求項１に該当する、相対する側板１、及び１４は鍵型７が垂直長手部分で複数個繋がった溝８を前後に有し、棚板４は側板前後の連結溝８と同間隔に設けたピン５を有する形態を示した斜視図である。棚板４は棚板導入路溝６より矢印１０方向に差し込み、連結溝８を経由し、希望位置の鍵型部溝１３に入れ込み固定される。尚、棚板導入路溝６の位置、及び有無は図示に限定しない。同様に天板２、及び地板３の形状、有無、ピン５の形状、仕様も図示に限定しない。鍵型７の縦部分１３の角度は斜めになる場合も含み角度は限定しない。
【０００９】
図２は請求項１の（１）に該当する、図１の断面であり、鍵型７の垂直長手部分が複数個繋がった溝８，及び棚板４、ピン５の位置の形態を説明する図である。ピン５の位置は図示の如く前後の連結溝８と同間隔に棚板４に設けられる。棚板４は連結溝８を図示矢印１０の如く移動させ、鍵型縦方向溝１３にピン５をはめ込むことにより、安定固定される。棚板導入路溝６が付属する場合は矢印１０方向に棚板４のピン５を差し込む方式である。
【００１０】
図３は請求項１の（２）に該当する、下がりL型９の垂直部分が複数繋がった連結溝８を棚板４に設けられたピン５が矢印１０方向に移動、下がりL型溝９の奥に固定される過程を表す断面図である。尚、下がりL型溝９の角度、及び長さは図示に限定しない。棚板導入溝６の位置、及び有無も図示に限定しない。
【００１１】
図４は請求項１に該当する、相対する側板１、及び１４に設けられた溝６，７，８，９，１１，１３に棚板４に取り付けたピン６をはめ込み移動可能とする形態を説明する断面図である。溝の深さ、及び形状、又ピン５の形状、長さ、材質、仕様は図示に限定しない。
【００１２】
図５は請求項２に該当する、垂直長円形溝１１を垂直方向に定間隔に側板前後同位置に掘り込み、棚板４は前後の溝１１の位置と同じ間隔にピン５を有する形態を示す斜視図である。
【００１３】
図６は請求項２に該当する、長円形溝１１に棚板４を順次はめ込み、棚板に設けたピン５を長円形溝１１の底部で固定する形態を示す図５の断面図である。図示の如く側板１に対する相対する側板１４のピン５の保持用溝は丸穴の場合も棚板導入可能であり請求項２に含まれる。
【符号の説明】
【００１４】
１  側板
２  天板
３  地板
４  棚板
５  ピン
６  棚板導入溝
７  鍵型溝
８  連結溝
９  下がりＬ型棚板固定溝
１０  移動方向矢印
１１  垂直長円形溝
１２  丸穴
１３  鍵型棚板固定溝
１４  相対する側板
【図１】
0003151428.tif 000003
【図２】
0003151428.tif 000004
【図３】
0003151428.tif 000005
【図４】
0003151428.tif 000006
【図５】
0003151428.tif 000007
【図６】
0003151428.tif 000008
【手続補正書】
【提出日】平成21年2月24日(2009.2.24)
【手続補正１】
【補正対象書類名】実用新案登録請求の範囲
【補正対象項目名】請求項２
【補正方法】変更
【補正の内容】
【請求項２】
相対する側板に（１）長円形溝を垂直方向に定間隔で側板前後同高さに複数個儲け、（２）他方棚板は垂直長円形溝と同間隔に２箇所のピンを有し、（３）ピン付き棚板を溝部分に斜め上方向より差し込む方式により棚板の位置変更、固定をする溝、及びピン付き棚板による棚板位置変更方式を特徴とする請求項１記載の棚板位置変更装置。
【手続補正書】
【提出日】平成21年4月14日(2009.4.14)
【手続補正１】
【補正対象書類名】実用新案登録請求の範囲
【補正対象項目名】請求項２
【補正方法】変更
【補正の内容】
【請求項２】
相対する側板に（１）長円形溝を垂直方向に定間隔で側板前後同高さに複数個設け、（２）他方棚板は、垂直長円形溝と同間隔に２箇所のピンを有し、（３）ピン付き棚板を溝部分に斜め上方向より差し込む方式により棚板の位置変更、固定をする方式を特徴とする棚板位置変更装置。
(57)【要約】      （修正有）【課題】止棒とフィルムシートとの接着強度が増大し剥がれるトラブルが減少することにより、印刷作業と印版管理作業の効率化をもたらし、併せて資源の長期有効活用に資するキャリアシートを提供する。【解決手段】止棒Ａに施した隙間にフィルムシートＢを挿入させ両面から挟み込んで接着させ、接着強度を著しく増大することにより、この課題を解消する。【選択図】図２
0003151424.tif 000002
【実用新案登録請求の範囲】
【請求項１】
止棒に施した隙間にフィルムシートを挿入し、両面から挟み込んで接着した整版キャリアシート。
【考案の詳細な説明】
【技術分野】
【０００１】本考案は、段ボール等の印刷時印版を版胴にセットする整版キャリアシートに於る止棒とフィルムシートとの接着、接合に関するものである。
【背景技術】
【０００２】従来、整版キャリアシートの止棒（ストッパー）とフィルムシートとの接合は、止棒の上面とフィルムシートの下面を接着剤等で接合している。（図１−▲ウ▼）
【考案の開示】
【考案が解決しようとする課題】
【０００３】しかし、これでは接着強度が不充分で、止棒とフィルムシートが度々剥がれてしまい、印刷作業及び印版管理作業のトラブルとなっている。
【課題を解決する為の手段】
【０００４】そこで接着力強化の為、止棒に隙間を施し、その隙間にフィルムシートを挿入し、接合する両面に接着剤等で両面から挟み込む形で接合させるものである。（図２−▲イ▼）
【考案の効果】
【０００５】よって、止棒とフィルムシートとの接着強度が著しく増大し剥がれるトラブルが大幅に減少することにより、印刷作業と印版管理作業の効率化をもたらし、併せて資源の長期有効活用に資するものである。
【考案を実施する為の最良の形態】
【０００６】本考案に係る整理キャリアシートは、止棒の強度を損わない範囲でフィルムシートが挿入できる隙間を止棒に施し、接着剤等で接合する。（図２）
素材は、環境面からＰＥＴ樹脂及びＡＢＳ樹脂が望ましい。
【図面の簡単な説明】
【０００７】
【図１】▲ア▼従来の整版キャリアシートの平面図である。▲イ▼従来の整版キャリアシートの断面図である。▲ウ▼従来の止棒とフィルムシートとの接合状態の断面図である。
【図２】▲ア▼本考案の整版キャリアシートの断面図である。▲イ▼本考案の止棒とフィルムシートとの接合状態の断面図である。
【符号の説明】
【０００８】▲Ａ▼      止棒（ストッパー）
▲Ｂ▼      フィルムシート
▲Ｃ▼      印版
▲Ｄ▼      接着剤
【図１】
0003151424.tif 000003
【図２】
0003151424.tif 000004
【手続補正書】
【提出日】平成21年3月18日(2009.3.18)
【手続補正１】
【補正対象書類名】実用新案登録請求の範囲
【補正対象項目名】全文
【補正方法】変更
【補正の内容】
【実用新案登録請求の範囲】
【請求項１】
止棒に施した極く狭い隙間にフィルムシートを挿入し、止棒の隙間の上と下の両面からフィルムシートを挟み込む形で接着剤で接合した整版キャリアシート。
(57)【要約】      （修正有）【課題】一人では貼りにくい肩・背中・腰などに、楽に湿布が貼れるようにした器具を提供する。【解決手段】湿布の四隅を土台と上からかぶせるフレームで押さえ、貼りたい場所に到達するまで、ずれて動かないようにし、その場所に到達した時点で軽くフレームを緩め、土台に組み込まれたローラーを転がすために本体を前後に動かし、湿布がずれないで貼れるようにする。また、カーブした持ち手を付けることにより、更に楽に貼れるようにする。【選択図】図１
0003151422.tif 000002
【実用新案登録請求の範囲】
【請求項１】
湿布を乗せる土台に緩いカーブをつける。
【請求項２】
中央にローラーを設置する。
【請求項３】
土台にちょうつがいで上下に動かすことの出来るフレームを設置する。
【請求項４】
フレームの四隅には小さな三角形の押さえを設置する。
【請求項５】
ちょうつがいの反対側にカーブした持ち手を、土台・フレーム共に設置。
【請求項６】
持ち手には指の入る穴を開ける。
【考案の詳細な説明】
【技術分野】
【０００１】  本考案は、長方形の緩いアーチ型の土台にローラーを組み込み、蝶つがいで開閉の出来る四方に押えを付けたフレームを装着し、土台とフレームに持ち手を付け、その間に湿布を挟むことにより、一人では貼りにくい肩・背中・腰などに、楽に湿布が貼れるようにした器具である。
【背景技術】
【０００２】  今までに、湿布を一人でも楽に貼ることの出来る器具はなかった。
【考案の開示】
【考案が解決しようとする課題】
【０００１】  肩・背中・腰など、大判の湿布を貼ろうとしたとき、中々思いどおりの場所に貼ることが出来ず、しかもシワがよってしまい、大変苦労をするという問題があった。
【課題を解決するための手段】
【０００２】  湿布の四隅を土台と上からかぶせるフレームで押さえ、貼りたい場所に到達するまでずれて動かないようにしその場所に到達した時点で、軽くフレームを緩め、ベースに組み込まれたローラーを転がすために、本体を前後に動かし、湿布がずれないで貼れるようにした。また、カーブした持ち手を付けることにより、更に楽に貼れるようにした。
【考案の効果】
【０００３】  肩・背中・腰などに湿布を一人でも楽にすっきりと貼ることができる。
【図面の簡単な説明】
【図１】  土台とフレームを開いた状態の図である。
【図２】  湿布を挟んだ本体の側面から見た状態の図である。
【符号の説明】  １  湿布を乗せる土台
２  ローラー
３  フレーム
４  押え
５  持ち手
６  指を入れる穴
【図１】
0003151422.tif 000003
【図２】
0003151422.tif 000004
【手続補正書】
【提出日】平成21年3月17日(2009.3.17)
【手続補正１】
【補正対象書類名】実用新案登録請求の範囲
【補正対象項目名】全文
【補正方法】変更
【補正の内容】
【実用新案登録請求の範囲】
【請求項１】
長方形の湿布を乗せる土台に緩いカーブをつけ、前記土台の中央にローラーを設置し、前記土台にちょうつがいで上下に動かすことの出来るフレームを設置し、前記フレームの四隅には小さな三角形の押さえを設置し、前記ちょうつがいの反対側中央部にカーブした持ち手を、土台・フレーム共に設置し、前記持ち手には指の入る穴を開けたことを特徴とする、湿布が楽に貼れる器具。
(57)【要約】      （修正有）【課題】幼児から高齢者まで使える容易なマグネットダーツを提供する。【解決手段】表面に、丸的九つを三列三段に配置して、１〜９の番号を付し、列外に１〜０の数字を付した星マークを配したマグネットシートと、矢じりがマグネットで色違いの三本の矢とを組み合わせたことを特徴とする。【選択図】図１
0003151421.tif 000002
【実用新案登録請求の範囲】
【請求項１】
直径５〜１０センチの丸的九つを三列三段に２〜５センチ等間隔に配置して、夫々に上段左から順次１〜９の番号を付し、列外に１〜０の数字を付した星マークを配したマグネットシートと、矢じりがマグネットで色違いの三本の矢とを組み合わせたマグネットダーツ。
【請求項２】
請求項１マグネットシートの裏面を無地面とし、各種（動物・花・魚・マーク等）の絵図をマグネット弾性シートに模り、大きさによって１・３・５の得点差をつけた的を幾つか貼り付たマグネットシートと、請求項１の矢と組み合わせたマグネットダーツ。
【考案の詳細な説明】
【技術分野】
【０００１】  ゲーム具である。
【背景技術】
【０００２】  従来、ダーツ類はあった。
【考案の開示】
【考案が解決しようとする課題】
【０００３】  従来の、放射状に画かれた的は、当たる部分が狭く、且つ得点法が複雑であった。
【課題を解決するための手段】
【０００４】  的を簡明にして、計算法を単純化する。
【考案の効果】
【０００５】  請求項項１について説明すれば、的を大きくして狙い易くした。【０００６】  的数を少なくして、計算法を単純化した。【０００７】  請求項２について説明すれば、的の、選択、配置、を自由にした。【０００８】  的の点数が、１・３・５の三つであるため計算が簡単である。【０００９】  的の着脱が容易である。【００１０】  ルールが単純であるため、幼児から高齢者まで幅広く楽しむことが出来る。
【考案を実施するための最良の形態】
【００１１】  請求項１は、図１に示す通り。【００１２】  請求項２は、図２に示す通り。
【実施例】
【００１３】  請求項１は、マグネットシート１に、直径５〜１０センチの丸的２を九つ、三列三段に配置する。【００１４】  丸的２同士は、左、右、上、下、２〜５センチの等間隔である。【００１５】  九つの丸的２には、夫々上段左から１〜９の番号３が付してある。【００１６】  列外に１〜０の数字４を付した星マーク５がある。【００１７】  請求項２の、マグネットシート１の裏面は無地６である。【００１８】  模り的７は、各種（動物・花・魚・ス  ポーツ用品・乗り物・家庭にあるもの・ゲーム用品）等の絵図が個々に模られている。【００１９】  模り的７は、マグネット弾性シートでできている。【００２０】  模り的７は、大きさによって１・３・５の得点８が付してある。【００２１】  模り的７は、マグネット矢じり９の色分けした三本の矢１０で射る。【００２２】  三本の矢１０は、請求項項１・２共用である。【００２３】  番号３と星マークの数字４の関係は、加減乗除の計算に使う。【００２４】  数字４の一つを選び、射止めた丸的２三つの番号を加減乗除して下一桁のが数字が選らんだ数字になれば得点になる。【００２５】  矢１０は、丸的２を射止めた矢が縦横斜めに並んだ時の矢の色によって得点が違う。【００２６】  三つに並んだ三本の矢１０の色が、同一、三色、混色、によって得点が違う。【００２７】  請求項２の的模り的の得点数はそのまま得点に計算するが、予め射止める模り的のジャンルを指定し、それを射たときの得点は二倍になる。
【産業上の利用可能性】
【００２８】  利用者は幼児から高齢者まで幅ひろく、且つ、恒常性が見込まれるため、商品化の価値がある。【００２９】  製作が容易である。
【図面の簡単な説明】
【００３０】
【図１】  請求項１の、マグネットダーツの全体平面図
【図２】  請求項２の、無地の面に、模られた的を配置した状態を示す平面図
【図３】  請求項１・２共通の、三本の矢の側面図
【符号の説明】
【００３１】    １  マグネットシート
２  丸的
３  番号
４  数字
５  星マーク
６  無地
７  模り的
８  得点
９  マグネット矢じり
１０  三本の矢
【図１】
0003151421.tif 000003
【図２】
0003151421.tif 000004
【図３】
0003151421.tif 000005
【手続補正書】
【提出日】平成21年3月19日(2009.3.19)
【手続補正１】
【補正対象書類名】実用新案登録請求の範囲
【補正対象項目名】請求項２
【補正方法】変更
【補正の内容】
【請求項２】
マグネットシートの裏面を無地面とし、動物・花・魚・マーク等の絵図をマグネット弾性シートに模り、大きさによって１・３・５の得点差をつけて構成した的を幾つか貼り付けたことを特徴とする、請求項１記載のマグネットダーツ。
(57)【要約】      （修正有）【課題】低コストで、草の発育に支障をきたすことがないペット用草の中仕切り付栽培容器を提供する。【解決手段】栽培容器内にフランジ（出っ張り、突起）あるいはくぼみを作り、それに井桁状又は編目状等の仕切板をひっかけて使用する事を特徴とする。【選択図】図１
0003151448.tif 000002
【実用新案登録請求の範囲】
【請求項１】
容器内に中仕切をつけたペット用の草の栽培容器
【考案の詳細な説明】
【技術分野】
【０００１】栽培容器内に中仕切をつけたペット用草の栽培容器である
【背景技術】
【０００２】  従来のペット用草栽培容器は、ペットが草を食べる際に容器内の土をこぼしてしまうという不都合があった。これを改良すべく容器内にフックをつけた栽培容器が開発された（特許２８３７３５８）が、原料を金型に流し込んで成形する射出成形法でないと製造しづらく製品単価が高価になるという難点があった。
又容器に蓋をつけて土がこぼれにくい工夫をしたもの（実用新案３１４１１７）があるが、水やりがしづらい、草の発育に支障があるという問題があった。
【先行技術文献】
【特許文献】
【０００３】
【特許文献１】  特許２８３７３５８  育苗容器
【特許文献２】  実用新案３１４１１１７  ペット用草の栽培容器
【考案の概要】
中仕切をつけた栽培容器
【考案が解決しようとする課題】  従来の技術による容器はコストがかかるため、高価になる。また蓋付のものは草の発育に支障をきたすという問題がある。
【課題を解決するための手段】
【０００４】栽培容器内にフランジ（出っ張り、突起）を作り、それに井桁状又は編目状等の仕切板をひっかけて使用する容器内に中仕切をつけた栽培容器である。
【考案の効果】
【０００５】射出成形法によらず、食品トレー等の成形加工に用いられている真空成形法での加工ができるため、安価に提供できる。
又容器内にフックをつける栽培容器では、材質はプラスチック等でないと製造しにくいが、この方法だと耐水性のある紙等でも可能である。
【図面の簡単な説明】
【０００６】
【図１】フランジ（突起）部分を外へふくらませた丸形栽培容器
【図２】フランジ（突起）部分を内へくぼませた丸形栽培容器
【図３】丸形栽培容器のフランジ（突起）にひっかけて使用する仕切板
【図４】フランジ（突起）部分を外へふくらませた角形栽培容器
【図５】フランジ（突起）部分を内へくぼませた角形栽培容器
【図６】角形栽培容器のフランジ（突起）にひっかけて使用する仕切板
【実施例】
【０００７】栽培容器内に中仕切板をつけて使用する事により、仕切に草の根がからみペットが草を食べる際に土がこぼれない。
【産業上の利用可能性】
【０００８】プラスチック素材では真空成形法で対応でき、一方耐水性のある紙等での利用も可能である。
【図１】
0003151448.tif 000003
【図２】
0003151448.tif 000004
【図３】
0003151448.tif 000005
【図４】
0003151448.tif 000006
【図５】
0003151448.tif 000007
【図６】
0003151448.tif 000008
(57)【要約】      （修正有）【課題】１００Ｍクラスの深度の地中井を掘削できる回転圧入鋼管を提供する。【解決手段】中空回転圧入鋼管先端部に複数個の高圧水噴射ノズルを装着し、地上より高圧水をホースおよび、回転スイーベルを介して、同鋼管内に導き、先端部で各ノズルに接続させて、下方地盤に噴射する。鋼管の回転に内部ホース回転を同期させて回転させ、同鋼管の貫人に合わせ、鋼管をネジ接続すると同様、下部ホースも長さが揃うように接続して、順次、鋼管回転圧入打ち込み機械で地中井を掘削してゆく。【選択図】図１
0003151449.tif 000002
【実用新案登録請求の範囲】
【請求項１】
回転圧入鋼管（１）の先には、外部に羽根（１０）と下向きに円錐状になって閉じた先端部（２）有し、先端部（２）には、下向きに、地中部に噴射する複数個のノズル（３）を持ち、それらノズルには、地上部より、外部高圧ホース（４）、回転スイーベル（５）を介して、回転圧入鋼管（１）の内部を通って、しかも、同回転圧入鋼管と同期回転し、管内下部で，ホース固定具（９）で固定された内部高圧ホース（６）が、その先端に付いた分岐金具（７）及び複数個のノズル用高圧ホース（８）を経由して、各複数個のノズル（３）に内部導通・連結された構成になっていることを特徴とする地中井掘削用回転圧入先端鋼管
【考案の詳細な説明】
【考案の詳細な説明】
【産業上の利用分野】
【０００１】本考案は、地中井を掘削する機器に関する
【背景技術】
【０００２】先端の閉じた先頭回転圧入鋼管は、貫入性をよくするため、ドリルのように捩じ込み用羽根が先端部外側に付けられており、地上に設置された鋼管回転打ち込み機械（１１）により、回転圧入鋼管をチャッキングおよび、回転させる機構（１２）と、同鋼管回転打ち込み機械（１１）に取り付けられて回転ロッド（１３）によりチャッキングおよび、回転機構（１２）が下降して地中に貫入させ、順次上部端部のネジで連結させながら、所定の深さの地中井を掘削していた。
この方法は、掘削したずりを地上に排出する必要がなく、ある程度の深さまで掘削し地中井を形成できたが、掘削深さが増すと先端部の対地盤抵抗および鋼管側壁の摩擦抵抗が極端に増加し、鋼管の強度の関係もあり、せいぜい、深度５０−７０Ｍが限度で、１００Ｍクラスの掘削が困難となる欠点があった。
【考案が解決しようとする課題】
【０００３】従来の方法で使用されている先頭回転圧入鋼管の破砕力を増大させて、掘削貫入性を増大させ、抵抗を軽減させ、さらに、鋼管側壁との摩擦抵抗を軽減させた、回転圧入鋼管（１）を提供して、深度１００Ｍクラスの地中井掘削を可能にする。
【課題を解決するための手段】
【０００４】（１）  上記の目的を達成するための本考案の構成を、実施例に対応する図１を用いて説明すると、先頭の回転圧入鋼管（１）の先端部の円錐部（２）に、高圧水が同鋼管外部下方に噴射するように導通した複数個のノズル（３）が埋め込まれて取り付けられている。
（２）  このノズル（３）には、地上より、外部高圧本ホース（４）、回転スイーベル（５）経由、更に、内部高圧ホース（６）の先に付いた分岐金具（７）、及び、ノズル用高圧ホース（８）が内部導通・接続されている。
（３）  内部ホース（６）は上部で回転スイーベル（５）下部に接続されているか、または、そこから接続されて延長された高圧ホースに接続され、下部はホース固定具（９）で先頭回転圧入鋼管（１）の内部に固定されている。
（４）  回転圧入鋼管（１）には、鋼管円筒部最下部部分で、先端部（２）との接続部に近い部分に、スパイラル状の羽根（１０）が付いていて、鋼管円筒部上部端部には、接続用のネジが切ってあり、本回転圧入鋼管（１）が地下に貫入次第、上部に繋ぎ鋼管が順次接続され、一体化される。
（５）  回転圧入鋼管（１）が順次地下に、貫入され上部に繋ぎ鋼管が接続されるに従い、それに見合った長さの内部ホース（６）の上部延長部が継ぎ足される。
（６）  外部ホース（４）及び回転スイーベル（５）は地上に位置する。
【作用】
【０００５】（１）  先頭の回転圧入鋼管（１）には、先端部（２）の直上に、羽根（１０）がスパイラル状に取り付けられているため、回転すると、ネジの作用で地中にドリルのように捩じ込まれて貫入される。
（２）  一方、先端部（２）に取り付けられた複数個のノズル（３）より、外部高圧ポンプより外部ホース（４）、回転スイーベル（５）、内部ホース（６）の内部を経由して導かれてきた高圧水が回転圧入鋼管（１）の外部下方に噴射され、同回転圧入鋼管（１）の先端部（２）の地中進行方向に接している地盤土壌を破砕する。また、地盤を軟弱化させる。
（３）  さらに、噴射された後の水の余剰のものは、回転圧入鋼管（１）の外壁側面を上昇し、回転圧入鋼管（１）が回転する際の潤滑剤の作用をする。
（４）  先端の回転圧入鋼管（１）および、それの上部に、ネジで順次接続された管体は、その内部に装着され同様順次継ぎ足された高圧水導入機構を備えて一体化されたことになり、この回転圧入鋼管（１）と合せ構成された一体物として、通常ボーリングに使用する鋼管回転打ち込み用機械（１１）によって、同機械のチャッキング及び回転機構（１２）にセットされ、回転ロッド（１３）の回転により、下部に、回転・圧入され、下方に貫入されて地下井が形成される。
【実施例】
【０００６】図面により、上述の手段、作用にて説明した内容に一部補足して簡単に説明すると、
（１）  図１は当該考案の垂直中心部断面、内部部材及び高圧水供給経路の概念をあらわし、当該考案品が地中に挿入された状態をあらわす。
（２）  図２は当該考案品が通常使用されるボーリングに使用する鋼管回転打ち込み機械に装着された状態をあらわす。
【考案の効果】
【０００７】（１）  回転圧入鋼管（１）の先端部（２）より、高圧水を噴射することにより、地盤破砕効果を高め、また、地盤に水を含ませ、軟弱化させて、地盤への貫入抵抗を軽減させて、回転圧入鋼管（１）の地中への貫入量を増大させる。
（２）  また、噴射された水は回転圧入鋼管の地中部に貫入した外壁部分に水の膜を形成し、同回転圧入鋼管全体の地盤側壁との摩擦抵抗を大幅に軽減するため、鋼管回転打ち込み用機械の所要動力を大幅に軽減出来、ひいては、より高深度貫入を可能ならしめる。
（３）  従って、肉厚の薄い比較的小径鋼管であっても、本考案の先頭装着の回転圧入鋼管（１）を用いれば、鋼管強度の限界上、従来打ち込み限界であった５０−７０Ｍ程度の地中深度打ち込み限界が１００Ｍ以上に可能になる。
【図面の簡単な説明】
【０００８】
【図１】は本考案の地中に貫入された状態での中心部垂直断面、および、当該考案品内部部材および、地上外部よりの高圧水供給に関連した部材をあらわす見取り図。
【図２】は本考案の回転圧入鋼管（１）が通常鋼管地中打ち込みに使用されるボーリング機械である回転鋼管打ち込み機械に装着した状態をあらわす見取り図。
【符号の説明】（１）は回転圧入鋼管、（２）は先端部、（３）はノズル、（４）は外部高圧ホース、（５）は回転スイーベル、（６）は内部高圧ホース、（７）は分岐金具、（８）はノズル用高圧ホース、（９）ホース固定具、（１０）羽根、（１１）は鋼管回転打ち込鋼管回転打ち込み機械、（１２）はチャッキングおよび回転機構、（１３）は回転ロッド
【図１】
0003151449.tif 000003
【図２】
0003151449.tif 000004
(57)【要約】      （修正有）【課題】太陽の位置によって、大まかに季節と時刻を知ることができる日傘を提供する。【解決手段】日傘の持ち手２に方位磁針３を備え、日傘を方位磁針３に従って適切な方向に向けることを可能にするとともに、 傘布１を通して見える太陽の位置によって大まかに季節を知ることができる表示Ｌａ、Ｌｂ、Ｌｃと、大まかに時刻を知ることができる表示Ｌ１、Ｌ２、Ｌ３、Ｌ４、Ｌ５を傘布にほどこす。【選択図】図１
0003151476.tif 000002
【実用新案登録請求の範囲】
【請求項１】
方位磁針を備え、傘布を通して見える太陽の位置によって大まかに季節と時刻を知ることができる表示を傘布にほどこしたことを特徴とする日傘。
【考案の詳細な説明】
【技術分野】
【０００１】
本考案は、太陽の位置によって、大まかに季節と時刻を知ることができる日傘に関するものである。
【背景技術】
【０００２】
日傘は強い日差しを避けるために利用されている。日傘の傘布に印刷などの手法によってほどこされた模様は、利用者の趣向にあわせて数多くの意匠が存在するが、特に実用上の意味を持っていない。
【考案の概要】
【考案が解決しようとする課題】
【０００３】
解決しようとする問題点は、日傘の傘布にほどこされた模様が実用上の意味を持っていないという点である。
【課題を解決するための手段】
【０００４】
本考案は、日傘に方位磁針を備え、傘布を通して見える太陽の位置によって大まかに季節と時刻を知ることができる表示を傘布にほどこしたことを最も主要な特徴とする。
【考案の効果】
【０００５】
本考案の日傘は、方位磁針を備え、日傘を方位磁針に従って適切な方向に向けることを可能にするとともに、傘布を通して見える太陽の位置によって大まかに季節と時刻を知ることができる表示を傘布にほどこしてあるため、傘布の模様に実用上の意味を持たせることができるという利点がある。
【図面の簡単な説明】
【０００６】
【図１】図１は日傘の外観図である。（実施例１）
【図２】図２は日傘の持ち手部分の外観図である。（実施例１）
【図３】図３は日傘の傘布の外観図である。（実施例１）
【考案を実施するための形態】
【０００７】
日傘に方位磁針を備え、傘布を通して見える太陽の位置によって大まかに季節と時刻を知ることができる表示を傘布にほどこした。
【実施例１】
【０００８】
図１は、本考案の１実施例の外観図であって、１は傘布、２は持ち手、３は方位磁針、Ｌ１は午前６時を示す表示、Ｌ２は午前９時を示す表示、Ｌ３は正午を示す表示、Ｌ４は午後３時を示す表示、Ｌ５は午後６時を示す表示、Ｌａは夏至の日の太陽の動きを示す表示、Ｌｂは春分及び秋分の日の太陽の動きを示す表示、Ｌｃは冬至の日の太陽の動きを示す表示である。
【０００９】
図２は、本考案の１実施例の持ち手部分の外観図であって、２、３は図１と同様である。
【００１０】
図３は、本考案の１実施例の傘布の外観図であって、１、Ｌ１、Ｌ２、Ｌ３、Ｌ４、Ｌ５、Ｌａ、Ｌｂ、Ｌｃは図１と同様である。
【００１１】
日傘の持ち手２に方位磁針３を備え、日傘を方位磁針３に従って適切な方向に向けることを可能にするとともに、 傘布１を通して見える太陽の位置によって大まかに季節を知ることができる表示Ｌａ、Ｌｂ、Ｌｃと、大まかに時刻を知ることができる表示Ｌ１、Ｌ２、Ｌ３、Ｌ４、Ｌ５を傘布にほどこしたので、日傘の模様に実用上の意味を持たせることができる。
【実施例２】
【００１２】
方位磁針を持ち手と別体とし、持ち手部分からひもなどでつりさげることによって備える。
【符号の説明】
【００１３】
１    傘布
２    持ち手
３    方位磁針
Ｌ１  午前６時を示す表示
Ｌ２  午前９時を示す表示
Ｌ３  正午を示す表示
Ｌ４  午後３時を示す表示
Ｌ５  午後６時を示す表示
Ｌａ  夏至の日の太陽の動きを示す表示
Ｌｂ  春分及び秋分の日の太陽の動きを示す表示
Ｌｃ  冬至の日の太陽の動きを示す表示
【図１】
0003151476.tif 000003
【図２】
0003151476.tif 000004
【図３】
0003151476.tif 000005
(57)【要約】      （修正有）【課題】主に室内用として使用して好適な、草花等の植物をポットごと収容するようになした植木鉢であって、換気を良くすることによって根腐れがなく、しかも管理が容易な植木鉢を提供する。【解決手段】植木鉢１と受皿２とを一体的に形成すると共に、該植木鉢１に植物をポット５ごと入れたときに、該ポット５と植木鉢１の底面１′との間にスペースＳが構成されるように植木鉢１の側壁３を下方に行くに従って窄まるように傾斜させて形成する一方、その傾斜した側壁３の下方位置に縦に伸びる透孔６を設け、該透孔６のうち少なくとも一つの透孔６の上方開口部６′が受皿２の周壁頂部２′より上に臨むようになした植木鉢である。【選択図】図１
0003151479.tif 000002
【実用新案登録請求の範囲】
【請求項１】
植木鉢と受皿とを一体的に形成すると共に、該植木鉢に植物をポットごと入れたときに該ポットと植木鉢の底面との間にスペースが構成されるように植木鉢の側壁を下方に行くに従って窄まるように傾斜させて形成する一方、その傾斜した側壁の下方位置に縦に伸びる透孔を設け、該透孔のうち少なくとも一つの透孔の上方開口部が受皿の周壁頂部より上に臨むようになした植木鉢。
【考案の詳細な説明】
【技術分野】
【０００１】
本考案は、植木鉢に関し、更に詳細には、主に室内において使用して好適な、草花等の植物をポットごと収容するようになした植木鉢であって、換気を良くすることによって根腐れがなく、しかも管理が容易な植木鉢を提供しようとするものである。
【背景技術】
【０００２】
従来、園芸店において販売される草花等の植物は、一般にポットと呼ばれる合成樹脂製の容器に入れて販売されている。そのため、このポットは他の植木鉢や花壇等に植え替えたときには廃棄されるのが常である。また、植木鉢に植え替えた場合に、植物と鉢の底面との間にスペースがないことと、その側壁に換気用の孔がないために、根腐れを起こすことが多い。特に、水をやり過ぎたときには、その水が土中にしみわたり、受皿を使用することにより、受皿内に水が溜まることとなり、根腐れの原因となる。
【０００３】
そこで、本考案者は長年鋭意研究を重ねてきた結果、植木鉢と受皿とを一体的に形成すると共に、植物を植えたポットをそのまま使用し、このポットと植木鉢の底面との間にスペースが構成されるように、側壁を下方に行くに従って窄まるように傾斜させて形成する一方、その傾斜した側壁の下方位置に縦に伸びる透孔を設け、該透孔のうち少なくとも一つの透孔の上方開口部が受皿の周壁頂部より上に臨むようになした植木鉢を完成するに至り、これにより、換気を良くして根腐れを防ぎ、しかも管理が容易な室内用の植木鉢として優れた植木鉢を提供することに成功したものである。
【０００４】
また、本考案においては、植木鉢を陶器で製造することにより、安価にしかもきわめて換気効果の大きな植木鉢を提供することができるものである。
【考案の概要】
【考案が解決しようとする課題】
【０００５】
本考案は上記の点に鑑みなされたものであって、従来の植木鉢にあって換気が充分でないことにより起こっていた植物の根腐れを防止し、しかもポットを廃棄することなく有効に利用することにより環境に優しく、且つ管理が容易な室内鑑賞用として好適な植木鉢を提供しようとするものである。
【課題を解決するための手段】
【０００６】
而して、本考案の要旨とするところは、植木鉢と受皿とを一体的に形成すると共に、該植木鉢に植物をポットごと入れたときに該ポットと植木鉢の底面との間にスペースが構成されるように植木鉢の側壁を下方に行くに従って窄まるように傾斜させて形成する一方、その傾斜した側壁の下方位置に縦に伸びる透孔を設け、該透孔のうち少なくとも一つの透孔の上方開口部が受皿の周壁頂部より上に臨むようになした植木鉢にある。
【考案の効果】
【０００７】
本考案は、上記の如き構成であるから、従来の植木鉢にあって換気が充分でないことにより起こっていた植物の根腐れを防止し、しかもポットを廃棄することなく有効に利用することにより環境に優しい植木鉢を提供することができることに加えて、植木鉢と受皿を一体的に設けたことにより、側壁を下方に行くに従って窄まるように傾斜させて形成しても安定して使用することができるものである。更に植木鉢と受皿を別々に管理する煩わしさを省き、管理を容易に行うことができるようになしたものである。特に水をやり過ぎたときにも、側壁に設けた透孔のうち少なくとも一つの透孔の上方開口部が受皿の周壁頂部より上に臨むようになしてあるから、水がポットの底面から上に上がることがなく、ポットと植木鉢底面との間にスペースが形成され、根腐れを完全に防ぐことができる。
【図面の簡単な説明】
【０００８】
【図１】本考案の実施形態に係る使用状態を示す断面図である。
【考案を実施するための形態】
【０００９】
以下、本考案を実施するための形態について、図面を参照して説明する。
【００１０】
図中、１は植木鉢であり、受皿２と一体的に構成されている。３は該植木鉢１の側壁であり、該側壁３は植物４を植えたポット５をそのまま入れたときに、該ポット５と植木鉢１の底面１′との間にスペースＳができるように植木鉢１の側壁３を下方に行くに従って窄まるように傾斜させて形成すると共に、その傾斜した側壁３の下方位置に縦に伸びる透孔６を設け、該透孔６のうち少なくとも一つの透孔６の上方開口部６′が受皿２の周壁頂部２′より上に臨むようになしてある。尚、該透孔６は、適宜複数箇所設けてもよいが、少なくとも一つの透孔６の上方開口部６′が受皿２の周壁頂部２′より上に臨むようにすることが必要である。
【００１１】
次に、上記実施形態の作用について説明する。
先ず、図１に示す如く、植物４を植えたポット５をそのまま植木鉢１に入れる。このとき、前記ポット５は植木鉢１の側壁３を下方に行くに従って窄まるように傾斜させて構成した側壁３の内面に当接してそれ以上下降することが阻止される。こうして、ポット５の下面と植木鉢１の底面１′との間にスペースＳができる。また、該植木鉢１の側壁３にはその下方位置に縦に伸びる透孔６を設けてあり、該透孔６のうち少なくとも一つの透孔６の上方開口部６′が受皿２の周壁頂部２′より上に臨むようになしてあるから、前記スペースＳが外気と連通し、スペースＳ内の換気を良くすることができる。また、万一水を注ぎすぎたときには、水はこの透孔６′から外に溢れ出し、受皿２の周壁頂部２′から外に出るため、スペースＳ内に空間ができることにより、ポット５内の植物が根腐れすることがない。
【符号の説明】
【００１２】
１  植木鉢
１′  植木鉢１の底面
２  受皿
２′  受皿２の周壁頂部
３  植木鉢１の側壁
４  植物
５  ポット
６  透孔
６′  透孔６の上方開口部
Ｓ  スペース
【図１】
0003151479.tif 000003
(57)【要約】      （修正有）【課題】足指間を隔てて覆い、足指間にも靴下の保護効果を及ぼすことができる足指用靴下を提供する。【解決手段】足指用靴下１，２は、足指を１本ごとに覆うために筒状であり、足指の根元付近から爪にかかる辺りまでを覆うのに適度なサイズとなるよう長さや幅に複数のサイズを設ける。素材は従来の靴下にあるように、伸縮性があり、通気性や吸湿性、速乾性のあるものが望ましく、色は目立たないものや、おしゃれなものが望ましい。又、この足指用靴下を、通常の靴下の中、第２指３及び第４指４にセットではくことにより、見た目は通常の靴下と変わらず、また、すべての足指間を効率的に隔てて覆うことが可能となる。【選択図】図１
0003151460.tif 000002
【実用新案登録請求の範囲】
【請求項１】
足指１本を独立して覆う、筒状の靴下であることを特徴とする足指用靴下。
【請求項２】
請求項１の足指用靴下を、第２指及び第４指にセットとしてはくことを特徴とする足指用靴下。
【考案の詳細な説明】
【技術分野】
【０００１】  本考案は、足指のみにはく筒状の、靴下に関するものである。
【背景技術】
【０００２】  従来の通常の靴下は足首より下部を包んでおり、足指間を隔てるように覆うことはできなかった。又、足指間を隔てて覆うためには５本指付の靴下や、水虫対策用品等も存在するが、見た目等の理由によりはくことに抵抗がある人もいる。
【考案の概要】
【考案が解決しようとする課題】
【０００３】  ５本指付の靴下や水虫対策用品等を、見た目等の理由で抵抗があってはくことができない人にとって、足指の間の汗による蒸れや冷えを抑えるといった保護効果が得られないという課題がある。従って、足指の間を隔てるために必要な最小限の部分を覆う足指用の靴下をはくことにより前述の課題を解決しようとするものである。
【課題を解決するための手段】
【０００４】  本考案は、足指１本を独立して覆う筒状の靴下であり、これを単体ではいてもよいが、通常の靴下の中、第２指及び第４指にセットではくことにより、見た目は通常のものと変わらず、すべての足指間を効率的に隔てて覆うことが可能となり問題点を解決している。
【考案の効果】
【０００５】  上述の様に、本考案の足指用靴下は、必要な部分を最小限の範囲で覆うことができ、通常の靴下の中にはくことも容易なので、見た目等の抵抗を大幅に減少させることが期待でき、足指間にも汗による蒸れや冷えを抑えるなどの靴下の保護効果を及ぼすことができる。
【図面の簡単な説明】
【０００６】
【図１】本考案の足指用靴下を右足の第２指及び第４指にはいた状態の斜視図である。
【考案を実施するための形態】
【０００７】  足指用靴下は、足指を１本ごとに覆うために筒状であり、足指の根元付近から爪にかかる辺りまでを覆うのに適度なサイズとなるよう長さや幅に複数のサイズを設ける。素材は従来の靴下にあるように、伸縮性があり、通気性や吸湿性、速乾性のあるものが望ましく、色は目立たないものや、おしゃれなものが望ましい。又、この足指用靴下を、通常の靴下の中、第２指及び第４指にセットではくことにより、すべての足指間を効率的に隔てて覆うことが可能となる。
【実施例】
【０００８】  以下、添付図面に従って一実施例を説明する。１及び２はそれぞれ従来の靴下にあるような伸縮性のある素材でつくられた筒状の足指用靴下であり、５の右足先において３の第２指、４の第４指にセットではくことにより、すべての足指間に保護効果を及ぼしている。
【符号の説明】
【０００９】  １      足指用靴下
２      足指用靴下
３      第２指
４      第４指
５      右足先
【図１】
0003151460.tif 000003
(57)【要約】      （修正有）【課題】利便性に優れ、多様な使用方法を行うことで自動販売機会社の収益に貢献し、災害情報等伝達をして地域住民に貢献し、防犯に役立つ自動販売機として利便性を高めたドアパネル付自動販売機を提供する。【解決手段】自動販売機本体上部にモバイルパネルであるモニター３、スピーカー９及びインターネット送受信機器を装設し、広告情報を映し出して広告をし、更に本体上部外側に太陽光発電ソーラーパネル４を装着、発電し、本体内部低位部分に太陽光発電及び蓄電装置を装着させ、太陽光発電をして節電し、ウェブカメラを併設して防犯の役目をはたすことを特徴とする。【選択図】図１
0003151453.tif 000002
【実用新案登録請求の範囲】
【請求項１】
映像表示装置モニターであるモバイルパネルを自動販売機に装設し、本体内部にパーソナルコンピューター又はインターネット送受信機を内蔵させ、該パネルに映像と音声を映し出して広告宣伝をする事を特徴とするアドパネル付自動販売機。
【請求項２】
自動販売機に太陽光発電が行えるソーラーパネルを装着し、太陽光発電を行いその電気を該自動販売機の電気として使用することができる事を特徴とする請求項１記載のアドパネル付自動販売機。
【請求項３】
自販機本体外部にウェブカメラを、本体内部に自販機泥棒等のカメラ映像を圧縮して記憶する装置を、更に圧縮した情報をインターネットを経由して外部映像管理センターに送信する装置を具備して暴力や犯罪等を抑止する防犯に役立つことを特徴とする請求項１記載のアドパネル付自動販売機。
【請求項４】
自動販売機本体内部に、映像表示装置であるモニターを装着しているパーソナルコンピューターに、データー記憶機器であるＣＤまたはＵＳＢ等の機器を差し込みあるいはインストールをして該モニターに映像を映し出すことができる事を特徴とする請求項１のアドパネル付自動販売機。
【考案の詳細な説明】
【技術分野】
【０００１】  本考案は、従来よりある街角及び建物内部に設置された商品の自動販売機に、広告や生活に密着した情報を映し出して広告収益を図り、又は、地域住民に利便を与えるものである。
【背景技術】
【０００２】  一般にこの種の自動販売機は商品を販売するのみで、人が利用する機会が多いにも拘らずその他の利用方法を何ら提供していないもので、最近、わずかなスペースに自動販売機の商品の映像を映すモニターを取付けた自動販売機があるが、やはり該自動販売機を多様な用途ある使用ができないなどの不便等問題点がある。
【考案の開示】
【考案が解決しようとする課題】
【０００３】  本考案の目的とする所は、自販機に取り付けたモバイルパネルであるモニターに広告情報を映し出し、更に地域に密着した天気予報、緊急災害情報等をリアルタイムで表示して、地域住民に利便性を図ることの他に、該モニターにウェブカメラを取り付けて暴力や犯罪等の抑止することを課題としたものである。
【課題を解決するための手段】
【０００４】  上記課題を解決するために、本考案のモバイルパネルは、自動販売機の内部上部にモバイルパネルであるモニターを取り付けて、該モニターにインターネットを利用した方法又はＣＤやＵＳＢ等の情報を記憶させた機器を差し込む等をして広告及び地域情報等を映し出し、別に、自動販売機の外側上部に太陽光発電ソーラーを装着させ、太陽光発電を行い自動販売機の節電を図り、自動販売機本体に取り付けたウェブカメラで防犯に役立つものとした。
【考案の効果】
【０００５】  本考案の効果は、モバイルパネルであるモニターに広告映像等及び音声を映し出して広告収益を図り、太陽光発電を行い節電し、更にウェブカメラを使用して防犯に役立つものとしたものである。
【考案を実施するための最良の形態】
【０００６】本考案の最良の用法を説明すると、該モバイルパネルであるモニターを自動販売機本体に装設し、内部にインターネットによる情報送受信する機能を持ったパーソナルコンピューター及びインターネット等情報送受信装置を内蔵させて広告映像及び音声等を映し出して広告をし、その他にＣＤやＵＳＢ等の記憶機器を利用して広告を該モニターに映し出し、自動販売機本体上部に太陽光発電ソーラーパネルを装着させ、内部に太陽光発電システム機器および蓄電器を装設し、通常の電気と太陽光発電の２つの電気が使用できるようにして節電を図り、該パネル上位部分にウェブカメラを装設し、防犯の役目をするアドパネル自動販売機。
【実施例】
【０００７】  本考案の実施例を各図面について以下の通り説明する。
図１に示すが如く、自動販売機本対（１）には、自動販売機用商品ボックス（２）を、本体の上部に広告用モバイルパネルモニター（３）、太陽光発電ソーラーパネル（４）、ウェブカメラ（８）、スピカー（９）を装設する。
図２に示すが如く、モバイルパネル本体（１）内部には、自動販売機用商品ボックス（２）、底部に太陽光発電システム機器及び蓄電器（７）、通常の電気差込口（６）、本体上部に広告用モバイルパネルモニター（３）、インターネット送受信機器（５）、該本体外側上部に太陽光発電ソーラーパネル（４）、ＣＤまたはＵＳＢ等の記憶機器を使用して広告を映し出す機能を装設する。
【産業上の利用の可能性】
【０００８】  現在の自動販売機の多機能化を図るもので、新規に取り付けをしたモバイルパネルモニターにより、広告をして広告収入を確保して自動販売機の営業会社の健全経営に貢献し、自動販売機を利用する人たちに、天気予報や災害情報をリアルタイムで表示して、生活の利便性に貢献することができ、産業上の利用可能性は大きく見込まれる。
【図面の簡単な説明】
【０００９】
【図１】  本考案のモバイルパネル本体の全体斜面図である。
【図２】  本考案のモバイルパネルの内部を開示した断面図である。
【符号の説明】
【００１０】１    自動販売機本体
２    自動販売機用商品ボックス
３    広告用モバイルパネルモニター
４    太陽光発電ソーラーパネル
５    コンピューター又はインターネット送受信機器
６    通常電気引込装置
７    太陽光発電システム機器及び蓄電器
８    ウェブカメラ
９    スピーカー
１０  ＣＤまたはＵＳＢ等利用の記憶機器
【図１】
0003151453.tif 000003
【図２】
0003151453.tif 000004
(57)【要約】      （修正有）【課題】置物や柱材として好適に用いられる意匠性に優れる木製装飾体を提供する。【解決手段】置物１は、樹皮が除去された杉の丸太材より構成し、花柄の化粧模様Ｍ２を塗料塗布と染色の両方により形成し、さらに、その背景面Ｈも染色する。化粧模様Ｍ２においてその輪郭部５とその一部６を塗料塗布により描き、その他の部分７を染色する。【選択図】図２
0003151459.tif 000002
【実用新案登録請求の範囲】
【請求項１】
樹皮を除去した木材表面に化粧模様が付されてなる木製装飾体。
【請求項２】
前記木材を杉または檜の丸太材とする請求項１記載の木製装飾体。
【請求項３】
前記化粧模様が塗料塗布により形成されてなる請求項１記載の木製装飾体。
【請求項４】
前記化粧模様が染色部を有する請求項３記載の木製装飾体。
【請求項５】
前記化粧模様の輪郭部が前記塗料塗付により描かれてなる請求項４記載の木製装飾体。
【請求項６】
前記塗料塗布が肉盛りになされてなる請求項３、４または５記載の木製装飾体。
【請求項７】
置物である請求項１、２、３、４、５または６記載の木製装飾体。
【考案の詳細な説明】
【技術分野】
【０００１】  この考案は、置物や柱材として用いられる木製装飾体に関する。
【背景技術】
【０００２】  杉の丸太材等は落ち着いた質感を持つことで柱材等の建築材として用いられている。
【考案の開示】
【考案が解決しようとする課題】
【０００３】  しかしながら、そのような杉の丸太材は木肌をそのままとして用いられることが常であり、したがって装飾性に乏しくその使用範囲が制限されていた。【０００４】  この考案は上記の事情に鑑みて行ったもので、置物や柱材として好適に用いられる意匠性に優れる木製装飾体を提供することを目的とする。
【課題を解決するための手段】
【０００５】  この考案では、樹皮を除去した木材表面に化粧模様が付されてなる木製装飾体を提供する。【０００６】  上記構成の木製装飾体は、落ち着いた質感を持つとともに、表面に化粧模様を備えることで意匠性に優れたものとなる。木製装飾体は置物として好適に使用され、また、長尺形態として柱材として使用される。【０００７】  材料木材としては、杉や檜の樹皮を除去した丸太材、また、紅葉や欅等の雑木の樹皮を除去したもの等適宜のものが使用される。化粧模様は適宜の材料や方法により形成することが可能であり、塗料や染料を用いて描いたり、また、ガラス材や金箔等の各種物品を貼り付けたりして形成する。【０００８】  塗料に染料を併せ使用することで意匠性に優れる化粧模様が形成される。その際染料として酸化染料が使用されることで木材表面の質感が損なわれることなく染色が良好に行われる。輪郭部が塗料塗布により描かれることで輪郭が明瞭な化粧模様が形成され、また、塗料塗布が肉盛りになされることで化粧模様が立体感を有するものとなる。
【考案の効果】
【０００９】  この考案によれば、置物や柱材として好適に用いられる意匠性に優れる木製装飾体が得られ、これにより、杉や欅の丸太材等の有効利用が可能となる。
【考案を実施するための形態】
【００１０】  図１はこの考案の木製装飾体よりなる置物の第１の実施形態の外観斜視図である。置物１は杉の丸太材よりなり、樹皮が除去された後漂白処理された表面２に、塗料塗布によって形成された花柄の化粧模様Ｍ１が付されている。化粧模様Ｍ１は塗料の筆やはけ塗りにより形成される。
【００１１】  図２は置物の第２の実施形態の外観斜視図、図３はその要部断面図（図２におけるａ位置の水平部分断面）である。この置物１も樹皮が除去された杉の丸太材よりなり、花柄の化粧模様Ｍ２が塗料塗布と染色の両方により形成され、さらに、その背景面Ｈも染色されている。化粧模様Ｍ２においてその輪郭部５とその一部６が塗料塗布により描かれ、その他の部分７が染色されている。
【００１２】  染色は酸化染料が塗布されることで行われ、塗料塗布はビヒクルに顔料が混入された塗料の塗布によって行われる。塗料塗布が染色塗布に先立って行われ輪郭部５が形成された後に染色塗布がなされることで、塗布に際して染色剤の流れが輪郭部５で阻止され、これにより化粧模様Ｍ２は輪郭が明確となって見栄えよく形成される。また、粘性の高いバインダーを含むビヒクルを使用する塗料が使用されることで輪郭部５と一部６がともに厚盛りに形成され、これにより化粧模様Ｍ２が立体感を持ったものとなって意匠性が高められる。くわえて、化粧模様Ｍ２の一部に金粉や金箔等を貼り付けるようにすればさらに意匠性が高められる。
【図面の簡単な説明】
【００１３】
【図１】この考案の木製装飾体である置物の第１の実施形態の外観斜視図
【図２】この考案の木製装飾体である置物の第２の実施形態の外観斜視図
【図３】この考案の木製装飾体である置物の第２の実施形態の要部の部分断面図
【符号の説明】
【００１４】１    置物（木製装飾体）
２    表面
Ｍ１  化粧模様
Ｍ２  化粧模様
【図１】
0003151459.tif 000003
【図２】
0003151459.tif 000004
【図３】
0003151459.tif 000005